(57)【特許請求の範囲】
【請求項１】
負の屈折力を有する対物レンズと正の屈折力を有する接眼レンズとを備え、前記対物レンズのいずれか一方のレンズ面に設けたマークを、前記接眼レンズの一部に設けたマイクロレンズで拡大して被写体像とともに観察するようにしたファインダーにおいて、
前記マークが、凸状または凹状の円錐体の集合体で構成されていることを特徴とするファインダー。
【発明の詳細な説明】
【０００１】
【発明の属する技術分野】
本発明は、ファインダー画面の中心位置を表すターゲットマークや撮影範囲を表す視野枠等の各種マークを被写体像とともに観察するようにしたファインダーに関するものである。
【０００２】
【従来の技術】
逆ガリレオ式ファインダーは、負の屈折力を有する対物レンズと、正の屈折力を有する接眼レンズとから構成され、対物レンズを介して得られた被写体の虚像を接眼レンズで拡大して確認できるようにしたものである。この逆ガリレオ式ファインダーは、接眼レンズの拡大作用によってファインダー倍率を大きくすることができ、しかも簡単な構成でありながらも像が明るく、視野を広くすることができる等の利点があることから、低価格帯のカメラに広く用いられている。
【０００３】
このような逆ガリレオ式ファインダーの中には、ファインダー画面の中心位置を表すターゲットマークや撮影範囲を表す視野枠等の各種マークを被写体像とともに観察できるようにしたものがある。各種マークの表示方法には、採光方式とアルバダ方式との２種類の方法がある。採光方式は、ファインダー光路外に配置したマークを採光窓から取り入れた光によって照明し、このマークの像を対物レンズと接眼レンズとの間に配置したハーフミラーでファインダー画面内に合成して表示するものである。またアルバダ方式は、対物レンズの像側の面にハーフミラーを形成するとともに、接眼レンズの対物レンズ側にマークを配置し、このマークの像をハーフミラーで反射させて観察するものである。
【０００４】
ところが、採光方式およびアルバダ方式のいずれの方式を用いた場合においても、マーク像を被写体像とともに表示するためには付加部品が必要である。このため、ファインダー全体の構造が複雑化し、ファインダーの製造コストが上昇するので、低価格帯のカメラに搭載するものとしては好ましくない。
【０００５】
そこで、例えば特開平８−２４８４７９号公報に記載されているように、対物レンズの一方のレンズ面にマークを形成するとともに、接眼レンズに正の屈折力を有するマイクロレンズを一体に設け、対物レンズ上のマークをマイクロレンズで拡大して被写体像とともに観察するようにしたファインダーが公知である。このファインダーによれば、マークおよびマイクロレンズは、いずれも対物レンズおよび接眼レンズと一体に形成されるので、付加部品を用いることなく、簡単な構成のままで各種マークの表示機能を実現することができる。
【０００６】
ファインダー画面の中心位置を表すターゲットマークとしては、図９に示すターゲットマーク１０のようにリング状に形成されたものが一般的である。対物レンズ１１に設けられるターゲットマーク１０は、断面が概ね三角形状となる突起を帯状に形成してなり、マーク部に照射された照明光を傾斜した反射面１０ａ，１０ｂによって接眼レンズ側に反射させることでターゲットマーク像を表示するようにしている。また、図１０に示すターゲットマーク１５のように、４本の直線部１５ａ〜１５ｄをファインダー画面の中心位置Ｐに対して放射状に配置したものも広く用いられている。このターゲットマーク１５も、直線部１５ａ〜１５ｄの断面がそれぞれ三角形状となるように構成されている。
【０００７】
【発明が解決しようとする課題】
上記のように構成されたマークは、照明光が反射面に対して直交するように照射されたときに最も強く光を反射し、照明光の照射角度が小さくなるにしたがって反射光が弱くなる。ところが、マーク部への主たる照明光はほとんどの場合一方向からしか与えられないので、例えば図９に示したターゲットマーク１０のようにリング状に構成されたマークの場合には、照明光が直交するように照射される２点１２ａ，１２ｂで最も強く光を反射し、２点１２ａ，１２ｂから離れるにしたがって反射光の強さは弱くなる。したがって、ファインダー画面内に合成されるターゲットマーク１０の像は、濃度が不均一なものとなる。
【０００８】
また図１０に示したターゲットマーク１５の場合、直線部１５ａ〜１５ｄのうちの２直線間から中心位置Ｐに向けて照明光を照射すれば、各直線部１５ａ〜１５ｄへの照明光の入射角度がほぼ等しくなるので、ターゲットマーク１５の像の濃度をほぼ均一にすることができる。しかし、照明光の入射角度が鋭角になるので、ターゲットマーク１５部での反射光が弱くなり、像の濃度が全体的に薄くなる。また、直線部１５ａ〜１５ｄのいずれかと直交するように照明光を照射すれば、照明光が直交するように照射された直線部の像は鮮明に得られるが、照明光の照射方向と平行な向きに設けられた直線部の像は得ることができない。
【０００９】
このように、従来のファインダーでは、ファインダー画面内に合成されるマーク像は、濃淡を伴った不鮮明なものであったり、あるいは形状が不適正なものとなりやすく、視認性が非常に悪いという問題があった。
【００１０】
本発明は上記の事情を考慮してなされたもので、簡単な構成のままで、視認性が良好なマーク像をファインダー画面内に表示できるファインダーを提供することを目的とする。
【００１１】
【課題を解決するための手段】
上記目的を達成するために、本発明のファインダーは、対物レンズに設けるマークを、凸状または凹状の円錐体の集合体で構成するものである。
【００１２】
【発明の実施の形態】
図３および図４は、本発明を用いた逆ガリレオ式のファインダーを示すものである。ファインダー２０は、負の屈折力を有する対物レンズ２１と正の屈折力を有する接眼レンズ２２とを同軸上に配置して構成され、対物レンズ２１および接眼レンズ２２は、それぞれ樹脂により射出成形されている。対物レンズ２１の像側のレンズ面２１ｂには、ファインダー画面の中心位置を表すためのターゲットマーク２３が、また接眼レンズ２２の像側のレンズ面２２ｂには、正の屈折力を有するマイクロレンズ２４がそれぞれ一体に設けられている。
【００１３】
図１に示すように、ターゲットマーク２３は、複数の微小な反射部２５を並設してなる４本の直線部２３ａ〜２３ｄを、ファインダー画面の中心位置Ｏに対して放射状に配置して構成される。図２に示すように、反射部２５は凸状の円錐体状に形成され、対物レンズ２１の成形用金型２６の成形面２６ａに反射部２５と相似形をした凹部２７を形成しておくことで、対物レンズ２１と一体に射出成形される。
【００１４】
なお凹部２７の形成には、例えばドリルを用いて彫込み加工を施せばよい。この際、凹部２７の開き角度θ１を４５°〜９０°の範囲内に形成し、反射部２５の頂角が４５°〜９０°の範囲内となるようにするのが好ましい。開き角度θ１が４５°よりも小さいと、この凹部２７を形成するためのドリルの先端が鋭利になりすぎて、ドリルの作製が困難になるばかりか、金型２６に彫込み加工を施す際にドリルの先端が折れやすくなる。また開き角度θ１が９０°よりも大きくなると、ドリルによる彫込み深さが僅かに誤差を生じただけであっても、凹部２７の開口径が大きく変動してしまうので、結果として反射部２５の大きさに大きなバラツキが生じる。このため、ドリルによる彫込み精度を高度に維持することが要求され、製造コストの上昇を招く。また、接眼レンズ２２に設けられるマイクロレンズ２４は、被写体像の視認性を損なうことがないように、その直径が１ｍｍ程度となるように小さく構成されている。
【００１５】
撮影者がファインダー２０を通して被写体を観察すると、対物レンズ２１を介して得られた被写体の虚像が接眼レンズ２２で拡大されて観察される。また、マイクロレンズ２４を通してターゲットマーク２３を観察すると、マイクロレンズ２４のもつ正の屈折力によってターゲットマーク２３の像は被写体像とほぼ同じ位置に観察される。これにより、撮影者は、被写体像とターゲットマーク像とを同じ視度で同時に観察することができる。
【００１６】
ここで、ターゲットマーク２３を構成している反射部２５は、円錐面２５ａが反射面となるため、いかなる方向から照射された光に対しても必ず直交する反射面を持ち、その反射光は一定した光量の強い光となる。したがって、複数の反射部２５を直線状に並設してなる直線部２３ａ〜２３ｄの像は、濃度が均一で、ほぼ直線状の明瞭な像となり、ファインダー画面内には鮮明なターゲットマーク像が表示される。
【００１７】
なお本発明は、直線部からのみ構成されるマークに限られるものではなく、例えば図５に示すターゲットマーク３０のように、正円形状をしたマークに対しても適用することができる。この場合においても、各反射部２５が入射光に対する指向性を持たず、一定した光量の強い光を反射させるので、ファインダー画面内にはターゲットマーク３０の像が鮮明に表示される。
【００１８】
また図６に示すように、撮影範囲の四隅を鍵枠３５ａ〜３５ｄで囲んでなる視野枠３５を、ファインダー画面内に表示することも可能である。この場合、図７および図８に示すファインダー３６のように、鍵枠３５ａ〜３５ｄはファインダー光軸３６ａから離れた対物レンズ３７の四隅に形成される。そこで、接眼レンズ３８の四隅にマイクロレンズ３９ａ〜３９ｄを設け、鍵枠３５ａ〜３５ｄのそれぞれを対応するマイクロレンズ３９ａ〜３９ｄを介して観察することで、被写体像と視野枠像とを同じ視度で同時に観察することができる。
【００１９】
また上記実施形態では、対物レンズの成形金型に彫込み加工を施して反射部と相似形をした凹部を設け、各種マークを対物レンズと一体に射出成形する例について説明したが、本発明では、反射部が照明光の入射方向に対する指向性を持たない円錐面状の反射面を備えていればよいので、反射部の形状は凹状であってもよい。この場合、対物レンズを射出成形した後に、対物レンズのレンズ面に彫込み加工を施して凹状の反射部を形成すればよい。
【００２０】
【発明の効果】
以上のように本発明によれば、各種マークを構成する円錐体は、円錐面が反射面となるので、いかなる方向から照射された照明光に対しても必ず直交する反射面を有するようになり、その反射光は一定した光量の強い光となる。したがって、円錐体の集合体からなるマークの像は、形状が適正で、かつ鮮明な像となる。しかも、マークは、対物レンズのレンズ面に一体に設けられるので、付加部品を用いることなく、簡単な構成のままで各種マークをファインダー画面内に表示することができる。
【図面の簡単な説明】
【図１】本発明を実施したマークの構成を示す説明図である。
【図２】図１に示した反射部の形状を示す断面図である。
【図３】本発明を実施したファインダーの構成を示す斜視図である。
【図４】図３に示したファインダーの断面図である。
【図５】本発明を実施したマークの別の構成例を示す説明図である。
【図６】本発明を実施したマークの更に別の構成例を示す説明図である。
【図７】図６の視野枠を用いるファインダーの構成を示す斜視図である。
【図８】図７に示したファインダーの断面図である。
【図９】従来のマークの構成を示す説明図である。
【図１０】従来のマークの別の構成例を示す説明図である。
【符号の説明】
１０，１５，２３，３０  ターゲットマーク
２０，３６  ファインダー
２１，３７  対物レンズ
２２，３８  接眼レンズ
２４，３９ａ〜３９ｄ  マイクロレンズ
２５  反射部
２５ａ  円錐面
２７  凹部
３５  視野枠
【図１】
0003724678.tif 000002
【図２】
0003724678.tif 000003
【図３】
0003724678.tif 000004
【図４】
0003724678.tif 000005
【図５】
0003724678.tif 000006
【図６】
0003724678.tif 000007
【図７】
0003724678.tif 000008
【図８】
0003724678.tif 000009
【図９】
0003724678.tif 000010
【図１０】
0003724678.tif 000011